(57)【要約】【課題】断路器の外部操作器と回線側接地開閉器の外部操作器間の機械的なインターロック機構を簡単にすると共に、外部操作器を含めて小型化を図ったガス絶縁開閉装置を提供する。【解決手段】ほぼ垂直な主体部１ａを有する密閉容器１を使用し、その内部に遮断器側接地開閉器２２、断路器２３および回線側接地開閉器２４を構成し、断路器２３の外部操作器６と回線側接地開閉器２４の外部操作器７を機構部収納体８の上部に近接して水平方向に並置し、外部操作器６と外部操作器７間の機械的なインターロック機構９を機構部収納体８内に収納した。【選択図】        図１
2005033846.tif 000002
【特許請求の範囲】
【請求項１】
絶縁性ガスを封入した遮断器容器内に構成した遮断器の一方端に、断路器とこの断路器の両側にそれぞれ配置した回線側接地開閉器および遮断器側接地開閉器を構成すると共に絶縁性ガスを封入した密閉容器を接続し、上記断路器、上記回線側接地開閉器および上記遮断器側接地開閉器の各可動子をそれぞれ駆動する外部操作器と、上記断路器の外部操作器と上記回線側接地開閉器の外部操作器間に設けた機械的なインターロック機構とを備えたガス絶縁開閉装置において、上記密閉容器は少なくともほぼ垂直な主体部を有し、上記遮断器容器の一方端側に上記インターロック機構を収納した機構部収納体を固定して設け、この機構部収納体の上部に上記断路器の上記外部操作器と、上記回線側接地開閉器の上記外部操作器とを水平方向に並置したことを特徴とするガス絶縁開閉装置。
【請求項２】
請求項１記載のものにおいて、上記断路器の外部操作器と、上記回線側接地開閉器の外部操作器とを、上記機構部収納体上に支持固定したことを特徴とするガス絶縁開閉装置。
【請求項３】
請求項１記載のものにおいて、上記断路器、上記回線側接地開閉器および上記遮断器側接地開閉器の各外部操作器は、それぞれ水平方向に並置したことを特徴とするガス絶縁開閉装置。
【請求項４】
絶縁性ガスを封入した遮断器容器内に構成した遮断器の一方端に、断路器とこの断路器の両側にそれぞれ配置した回線側接地開閉器および遮断器側接地開閉器を構成すると共に絶縁性ガスを封入した密閉容器を接続し、上記断路器、上記回線側接地開閉器および上記遮断器側接地開閉器の各可動子をそれぞれ駆動する外部操作器と、上記断路器の外部操作器と上記回線側接地開閉器の外部操作器間に設けた機械的なインターロック機構とを備えたガス絶縁開閉装置において、上記容器は少なくともほぼ垂直な主体部を有し、上記遮断器容器の一方端側に上記インターロック機構を収納した機構部収納体を固定して設け、この機構部収納体の上部に、上記断路器の外部操作器と、上記断路器の外部操作器の上記遮断器側に上記回線側接地開閉器の外部操作器とを水平方向に並置し、上記断路器の外部操作器の反遮断器側に上記遮断器側接地開閉器の外部操作器を配置したことを特徴とするガス絶縁開閉装置。
【請求項５】
請求項４記載のものにおいて、上記密閉容器の上端部に形成した口出し部に機構ケースを接続し、この機構ケースは上記断路器の可動子とその外部操作器間を連結して気密を保持しながら駆動力を伝達するシール部を有し、上記密閉容器の両側方にそれぞれ形成した口出し部にそれぞれ機構ケースを接続し、この両機構ケースは上記回線側接地開閉器および遮断器側接地開閉器の各可動子とその各外部操作器間を連結して気密を保持しながら駆動力を伝達するシール部をそれぞれ有することを特徴とするガス絶縁開閉装置。
【発明の詳細な説明】
【０００１】
【発明の属する技術分野】
本発明は、ガス絶縁開閉装置に係り、特に遮断器の一方端に断路器と、この断路器の両側に遮断器側接地開閉器および回線側接地開閉器を構成して成るガス絶縁開閉装置に関する。
【０００２】
【従来の技術】
一般にガス絶縁開閉装置は、任意のガス区画に区分した密閉容器内に、遮断器、断路器、接地開閉器およびそれらを接続する通電導体等を収納すると共に絶縁性ガスを充填して構成しており、絶縁性能および安全性に優れ、また設置スペースの縮小化が可能であることから、変電所等の電気所に広く適用されている。
【０００３】
図３は、従来のガス絶縁開閉装置の一例を示す側面図である。
縦型の遮断器１２には、左右方向に接続部１２ａ，１２ｂが形成され、その一方の接続部１２ａに二重主母線１３，１４を接続し、他方の接続部１２ｂに遮断器側接地開閉器１５、断路器１６および回線側接地開閉器１７をほぼ直線的に接続し、避雷器１８などを接続すると共にケーブルヘッド１９等の導出手段を介して回線側に接続している。遮断器側接地開閉器１５、断路器１６および回線側接地開閉器１７は、それぞれ密閉容器内に可動子を有しており、この可動子の開閉操作は拡大図である図４に示すように密閉容器外に配置した外部操作器５，６，７によって行うように構成している。これらの外部操作器５〜７も回路構成の順番と同じく遮断器側接地開閉器１５、断路器１６および回線側接地開閉器１７の順番で並置されている。特に、断路器１６と回線側接地開閉器１７とは、断路器１６の閉状態で回線側接地開閉器１７が閉操作されることがないよう、また回線側接地開閉器１７の閉状態で断路器１６が閉操作されることがないよう機械的なインターロック機構が構成されるため、両者を近傍に配置していた。このようなガス絶縁開閉装置は、遮断器側接地開閉器１５、断路器１６および回線側接地開閉器１７がほぼ水平に一直線に配置されるため、同方向に大型の構成となってしまう。これに対して、断路器１６をほぼ垂直方向に延びた密閉容器内に構成して水平方向に縮小したガス絶縁開閉装置も提案されている（例えば、特許文献１および特許文献２を参照）。
【０００４】
【特許文献１】
特開昭５８−１９５４０７号公報
【特許文献２】
実開昭５７−９８１０５号公報
【０００５】
【発明が解決しようとする課題】
しかしながら、水平方向に縮小化した従来のガス絶縁開閉装置は、断路器、遮断器側接地開閉器および回線側接地開閉器をほぼ垂直方向に配置しただけで、各外部操作器の配置や、断路器の外部操作器と回線側接地開閉器の外部操作器間に設ける機械的なインターロック機構については十分な配慮が払われておらず、今度は極端に高さ方向に大きくなってしまっていた。
【０００６】
本発明の目的は、断路器の外部操作器と回線側接地開閉器の外部操作器間の機械的なインターロック機構を簡単にすると共に、外部操作器を含めて小型化を図ったガス絶縁開閉装置を提供することにある。
【０００７】
【課題を解決するための手段】
本発明は上記目的を達成するために、絶縁性ガスを封入した遮断器容器内に構成した遮断器の一方端に、断路器とこの断路器の両側にそれぞれ配置した回線側接地開閉器および遮断器側接地開閉器を構成すると共に絶縁性ガスを封入した密閉容器を接続し、上記断路器、上記回線側接地開閉器および上記遮断器側接地開閉器の各可動子をそれぞれ駆動する外部操作器と、上記断路器の外部操作器と上記回線側接地開閉器の外部操作器間に設けた機械的なインターロック機構とを備えたガス絶縁開閉装置において、上記密閉容器は少なくともほぼ垂直な主体部を有し、上記遮断器容器の一方端側に上記インターロック機構を収納した機構部収納体を固定して設け、この機構部収納体の上部に上記断路器の上記外部操作器と、上記回線側接地開閉器の上記外部操作器とを水平方向に並置したことを特徴とする。
【０００８】
本発明によるガス絶縁開閉装置は、ほぼ垂直な主体部を有する密閉容器を使用し、その内部に遮断器側接地開閉器、断路器および回線側接地開閉器を構成したため、例えば水平は位置した遮断器の軸方向を縮小することができ、しかも、断路器の外部操作器と回線側接地開閉器の外部操作器を機構部収納体の上部に近接して水平方向に並置しているため、外部操作器を含めても全体の高さを抑えて保守点検を容易にすると共に、近接した外部操作器と外部操作器間の機械的なインターロック機構を機構部収納体内に収納して構成を簡単にすることができる。
【０００９】
また請求項２に記載の本発明は、請求項１記載のものにおいて、上記断路器の外部操作器と、上記回線側接地開閉器の外部操作器とを、上記機構部収納体上に支持固定したことを特徴とする。このようなガス絶縁開閉装置によれば、外部操作器の支持が容易で、断路器の外部操作器と回線側接地開閉器の外部操作器間を機械的に連結するインターロック機構を簡単に機構部収納体内に収納して構成することができる。
【００１０】
また請求項３に記載の本発明は、請求項１記載のものにおいて、上記断路器、上記回線側接地開閉器および上記遮断器側接地開閉器の各外部操作器は、それぞれ水平方向に並置したことを特徴とする。このようなガス絶縁開閉装置によれば、各外部操作器が近傍に並置されるため、保守点検が容易になり、かつ密閉容器の主体部の軸方向長を抑えることができる。
【００１１】
また請求項４に記載の本発明は、絶縁性ガスを封入した遮断器容器内に構成した遮断器の一方端に、断路器とこの断路器の両側にそれぞれ配置した回線側接地開閉器および遮断器側接地開閉器を構成すると共に絶縁性ガスを封入した密閉容器を接続し、上記断路器、上記回線側接地開閉器および上記遮断器側接地開閉器の各可動子をそれぞれ駆動する外部操作器と、上記断路器の外部操作器と上記回線側接地開閉器の外部操作器間に設けた機械的なインターロック機構とを備えたガス絶縁開閉装置において、上記容器は少なくともほぼ垂直な主体部を有し、上記遮断器容器の一方端側に上記インターロック機構を収納した機構部収納体を固定して設け、この機構部収納体の上部に、上記断路器の外部操作器と、上記断路器の外部操作器の上記遮断器側に上記回線側接地開閉器の外部操作器とを水平方向に並置し、上記断路器の外部操作器の反遮断器側に上記遮断器側接地開閉器の外部操作器を配置したことを特徴とする。
【００１２】
このようなガス絶縁開閉装置によれば、ほぼ垂直な主体部を有する密閉容器を使用し、その内部に遮断器側接地開閉器、断路器および回線側接地開閉器を構成したため、例えば水平配置した遮断器の軸方向を縮小することができ、しかも、断路器の外部操作器と回線側接地開閉器の外部操作器を機構部収納体の上部に近接して水平方向に並置しているため、外部操作器を含めても全体の高さを抑えて保守点検を容易にすると共に、近接した外部操作器と外部操作器間の機械的なインターロック機構を機構部収納体内に収納して構成を簡単にすることができる。特に、回線側接地開閉装置の位置を上述のように選定したため、インターロック機構は他の部分と干渉することなく簡単に構成することができる。
【００１３】
また請求項５に記載の本発明は、請求項４記載のものにおいて、上記密閉容器の上端部に形成した口出し部に機構ケースを接続し、この機構ケースは上記断路器の可動子とその外部操作器間を連結して気密を保持しながら駆動力を伝達するシール部を有し、上記密閉容器の両側方にそれぞれ形成した口出し部にそれぞれ機構ケースを接続し、この両機構ケースは上記回線側接地開閉器および遮断器側接地開閉器の各可動子とその各外部操作器間を連結して気密を保持しながら駆動力を伝達するシール部をそれぞれ有することを特徴とする。このようなガス絶縁開閉装置によれば、外部操作器を含めても全体の高さを抑えて保守点検を容易にすると共に、近接した外部操作器と外部操作器間の機械的なインターロック機構を機構部収納体内に収納して構成を簡単にすることができ、しかも各外部操作器の水平方向の位置を望ましく設定して、外部操作器に連結された駆動系の干渉を避けることができる。
【００１４】
【発明の実施の形態】
以下、本発明の実施の形態を図面に基づいて説明する。
図２は、本発明の一実施の形態によるガス絶縁開閉器を示す側面図である。
遮断器用密閉容器内に絶縁性ガスを封入して構成した遮断器１２はほぼ水平に配置され、その一方の接続部１２ａは遮断器用密閉容器の径方向の上方部に導出されて、遮断器１２の上部に配置した主母線１３，１４にそれぞれ詳細な図示を省略した主母線用断路器２０，２１を介して接続している。図示のガス絶縁開閉装置が相分離構成で任意の一相を示しているとすると、これらの直線的に延びた主母線１３，１４の軸方向に三相分の遮断器が並置されて、三相分のガス絶縁開閉装置が構成されている。遮断器１２の他方の接続部１２ｂは遮断器用密閉容器の軸方向に導出され、ほぼ垂直な主体部１ａを有する密閉容器１の下方側接続部１ｂに接続されている。この密閉容器１内には遮断器側接地開閉器２２、断路器２３および回線側接地開閉器２４が構成されており、密閉容器１の上方側接続部１ｃはほぼ水平に延びて避雷器１８やＰＤ等の機器を介してケーブルヘッドやブッシングなどの導出手段１９に接続されている。
【００１５】
比較的重量物である遮断器１２は、ほぼ水平にして低層部に配置しているので耐震性に優れている。しかし、導出手段１９はその前段に配置される避雷器１８の軸長などによって所定の高さを維持しなければならないので、遮断器１２の一方の接続部１２ｂのレベルと一致しない。従来は、このレベル差を吸収するために、図３に示したように遮断器１２を縦型にしてその一方の接続部１２ｂのレベルを高くし、避雷器１８や導出手段１９の下部に架台を設けていた。しかしながら、図２に示したガス絶縁開閉装置では、ほぼ垂直な主体部を有する密閉容器１を使用しているため、この密閉容器１におけるほぼ垂直な主体部の軸長によって遮断器１２の接続部１２ｂと避雷器１８側とのレベル差を吸収することができる。遮断器側接地開閉器２２、断路器２３および回線側接地開閉器２４の外部操作器については後述するが、その配置構成によって、ほぼ垂直な主体部を有する密閉容器１を用いているにも拘わらず高さ方向も抑えられ、全体としてはより縮小化したガス絶縁開閉装置となっている。
【００１６】
図１は、上述したガス絶縁開閉装置の要部拡大図である。
密閉容器１は、上述したように遮断器１２の遮断器用密閉容器と同軸方向に延びたほぼ水平な下方側接続部１ｂと、この下方側接続部１ｂを下部に接続したほぼ垂直な主体部１ａと、この主体部１ａの上部に接続した上方側接続部１ｃとを有して構成されている。この密閉容器１内に構成した遮断器側接地開閉器２２は図示を省略した可動子を有し、この可動子は機構ケース２の内外機構部を介して外部操作器５によって開閉操作される。より詳細には、密閉容器１の下方側接続部１ｂとの接続部と反対側に形成した口出し部１ｄに気密を保持して機構ケース２を接続し、この機構ケース２に回転軸２５のシール部で気密を保持しながら可回転的に支持し、機構ケース２内に位置する部分の回転軸２５に連結した内側機構部に可動子を連結し、機構ケース２外に位置する部分の回転軸２５に連結したレバー２６とロッド２７等から成る外側機構部によって外部操作器５に連結されている。外部操作器５は駆動源を有しており、この駆動源に対して与えられる指令により外部機構部および内部機構部を介して遮断器側接地開閉器２２の可動子を開閉操作する。
【００１７】
また密閉容器１内に構成した断路器２３は図示を省略した可動子を有し、この可動子は機構ケース３の内外機構部を介して外部操作器６によって開閉操作される。より詳細には、密閉容器１の主体部１ａの上端部に形成した口出し部１ｅに気密を保持して機構ケース３を接続し、この機構ケース３に回転軸２８をシール部で気密を保持しながら可回転的に支持し、機構ケース３内に位置する部分の回転軸２８に連結した内側機構部に可動子を連結し、機構ケース３外に位置する部分の回転軸２８に連結したレバー２９とロッド３０等から成る外側機構部によって外部操作器６に連結されている。外部操作器６も駆動源を有しており、この駆動源に対して与えられる指令により外部機構部および内部機構部を介して断路器２３の可動子を開閉操作する。
【００１８】
さらに、密閉容器１内に構成した回線側接地開閉器２４は図示を省略した可動子を有し、この可動子は機構ケース４の内外機構部を介して外部操作器７によって開閉操作される。より詳細には、密閉容器１の下方側接続部１ｂと上方側接続部１ｃの中間部に位置すると共に、下方側接続部１ｂの上方に位置して同方向に形成した口出し部１ｆに気密を保持して機構ケース４を接続し、この機構ケース４に回転軸３１をシール部で気密を保持しながら可回転的に支持し、機構ケース４内に位置する部分の回転軸３１に連結した内側機構部に可動子を連結し、機構ケース４外に位置する部分の回転軸３１に連結したレバー３２とロッド３３等から成る外側機構部によって外部操作器７に連結されている。外部操作器７もまた駆動源を有しており、この駆動源に対して与えられる指令により外部機構部および内部機構部を介して回線側接地開閉器２４の可動子を開閉操作する。
【００１９】
遮断器側接地開閉器２２の外部操作器５は、機構ケース２の上方部に配置され、その近傍に位置する密閉容器１の主体部１ａや口出し部１ｄなどに固定して支持している。密閉容器１の下方側接続部１ｂの外部側方にはほぼ同方向に延びて並置した例えば逆Ｕ字状の機構部収納体８が配置され、この機構部収納体８は下方側接続部１ｂの外部側方に溶接した適当な部材を介して固定されている。この機構部収納体８の上部に断路器２３の外部操作器６と回線側接地開閉器２４の外部操作器７とが配置されている。ここでは、機構部収納体８の上部に外部操作器６と外部操作器７とを支持固定している。他の実施の形態では、下方側接続部１ｂの外部側方に支持用アームを溶接し、この支持用アームに外部操作器６および外部操作器７を支持固定すると共に、支持用アームに機構部収納体８を支持固定しても良い。いずれにしても、機構部収納体８の上方部に何等かの形で固定した外部操作器６および外部操作器７を配置する。
【００２０】
このような構成のガス絶縁開閉装置によれば、ほぼ垂直な主体部１ａを有する密閉容器１を使用し、その内部に遮断器側接地開閉器２２，断路器２３および回線側接地開閉器２４を構成したため、遮断器１２の軸方向を縮小することができ、しかも、断路器２３の外部操作器６と回線側接地開閉器２４の外部操作器７を機構部収納体８の上部に近接して水平方向に並置しているため、外部操作器５〜７を含めても全体の高さを抑えて保守点検を容易にすると共に、外部操作器６と外部操作器７間の機械的なインターロック機構９を簡単にすることができる。
【００２１】
また、遮断器側接地開閉器２２の外部操作器５も近傍に位置することが可能であり、低層化された遮断器１２の高さ程度の位置に各外部操作器５〜７が設けることができるようになり、その保守点検が容易になる。各外部操作器５〜７を近接して並置する場合、機構部収納体８の左方端を延長し遮断器側接地開閉器２２の外部操作器５も機構部収納体８上に搭載して支持固定することもできる。
【００２２】
特に、断路器２３の外部操作器６と回線側接地開閉器２４の外部操作器７との間に設けられる機械的なインターロック機構９は、断路器２３の閉状態で回線側接地開閉器２４が閉操作されることがないよう、また回線側接地開閉器２４の閉状態で断路器２３が閉操作されることがないように構成される。上述したガス絶縁開閉装置では、断路器２３の機構ケース３と回線側接地開閉器２４の機構ケース４とは同一垂直平面上に位置し、断路器２３の外部操作器６と回線側接地開閉器２４の外部操作器７も近接して平行な他の垂直平面上に位置しており、しかも外部操作器６，７の下部に機構部収納体８を設けたため、この機構部収納体８も後者の垂直平面上に位置することになるため、機械的なインターロック機構９の構成が容易になる。
【００２３】
例えば、両外部操作器６，７間は、それぞれロッド３４ａ，３４ｂによって機構部収納体８内に導入し、この機構部収納体８内に設けた回転軸３５ａ，３５ｂに取り付けたレバー３６ａ，３６ｂに連結すると共に、このレバー３６ａ，３６ｂ間をリンク３７で連結してインターロック機構９を構成することができる。機構部収納体８は、外部操作器６，７の支持固定用とインターロック機構９収納用を兼用しているため、構成は簡略化され、またインターロック機構９が外部に露出しないために美観性を有する。このインターロック機構の構成としては、図示のものに限らず、種々の構成を採用することができる。
【００２４】
遮断器１２の保守点検を考慮して、密閉容器１の下部に支持部材１０を配置してベース１１へ支持するようにすれば、例えば遮断器１２を取り外したとしても、密閉容器１を保持することができる。この点で、密閉容器１はその下端部を除いて、その上端部に口出し部１ｅを形成し、その主体部１ａの両側部に口出し部１ｄ，１ｆを形成し、これら口出し部１ｅ，１ｄ，１ｆを利用して各機構ケース２〜４を接続するのが望ましい。
【００２５】
上述したガス絶縁開閉装置によれば、従来のガス絶縁開閉装置では遮断器１２と避雷器１８との間に無駄な空間が存在していたが、この空間を活用して密閉容器１を配置することができ、しかもこの密閉容器１内に配置した遮断器側接地開閉器２２、断路器２３および回線側接地開閉器２４の各外部操作器５〜７の配置を上述のように考慮しているため、高さ方向を抑えて同空間を有効に活用することができる。また、主回路は遮断器１２……遮断器側接地開閉器２２……断路器２３……回線側接地開閉器２４の順に接続されるのに対して、外部操作器は遮断器１２側から回線側接地開閉器２４の外部操作器７、断路器２３の外部操作器６、遮断器側接地開閉器２２の外部操作器５の順番となり、主回路構成とは外部操作器７と外部操作器５の位置が入れ替わっている。このような構成によって、断路器２３と回線側接地開閉器２４間に構成する機械的なインターロック機構９が近傍の機構と干渉することなく構成でき、非常に簡単な構成となる。例えば、断路器２３のロッド３０などは、外部操作器５と外部操作器６間のスペースを利用して配置することができ、また回線側接地開閉器２４のロッド３３などは外部操作器６と外部操作器７間のスペースを利用して配置することができるので、これら機構の配置も簡略される。
【００２６】
また上述したガス絶縁開閉装置では、機械的なインターロック機構９を収納した機構部収納体８を設け、この機構部収納体８の上部に回線側接地開閉器２４の外部操作器７と断路器２３の外部操作器６を配置し、望ましくは外部操作器６，７を機構部収納体８上に搭載したため、外部操作器６，７をほぼ同じレベルに近接して配置することができ、その保守点検を容易にすると共に、両者間の機械的インターロック機構９の配置構成を容易にすることができる。これに加えて、遮断器側接地開閉器２２の外部操作器５もほぼ同一レベルで近傍に配置することによって、外部操作器５〜７の保守点は一層容易になる。
【００２７】
さらに、遮断器側接地開閉器２２の機構ケース２、断路器２３の機構ケース３および回線側接地開閉器２４の機構ケース４、つまり、密閉容器１の気密を保持して外部操作器５〜７からの駆動力をそれぞれの可動子に伝達する回転軸２５，２８，３１等のシール部を備えた機構ケース２〜４は、密閉容器１の投影平面を外してそれぞれ配置している。このため、図示のガス絶縁開閉装置が相分離構成の任意の一相のみを示しているとすると、各回転軸２５，２８，３１はその軸方向に三相分のガス絶縁開閉装置が配置されることになり、三相分のガス絶縁開閉装置の各機構ケース２〜４をそれぞれ回転軸２５，２８，３１によって簡単に連結することができ、外部操作器５〜７によって三相一括操作を簡単に実現することができる。
【００２８】
尚、上述したガス絶縁開閉装置では、ほぼ垂直な主体部１ａを有する密閉容器１の最上部に機構ケース３を、両側方にそれぞれ機構ケース２と機構ケース４を配置したが、それぞれ他の場所に機構ケースを接続するように密閉容器１を形成することもできる。また、口出し部１ｅに回線側接地開閉器２４の機構ケース４を配置し、口出し部１ｆに断路器２３の機構ケース３を配置することもできる。また、機構ケース２〜４はそれぞれ回転軸２５，２８，３１によるシール部を有し、この回転軸２５，２８，３１のシール部により機構ケース２〜４の内外を気密に保持して駆動力を伝達するようにしたが、回転軸に限らず直線シール構造の駆動軸を用いても良い。さらに、図２に示した構成のガス絶縁開閉装置に限らず本発明を適用することができる。
【００２９】
【発明の効果】
以上説明したように本発明のガス絶縁開閉装置によれば、ほぼ垂直な主体部を有する密閉容器の使用により遮断器を水平に配置した場合は遮断器の軸方向を縮小することができ、しかも、断路器の外部操作器と回線側接地開閉器の外部操作器を機構部収納体の上部に近接して水平方向に並置して外部操作器を含めても全体の高さを抑えて保守点検を容易にすると共に、断路器の外部操作器と回線側接地開閉器の外部操作器間の機械的なインターロック機構を簡単にすることができる。
【図面の簡単な説明】
【図１】本発明の一実施の形態によるガス絶縁開閉装置の要部を示す側面図である。
【図２】図１に示したガス絶縁開閉装置の全体構成を示す側面図である。
【図３】従来のガス絶縁開閉装置の全体構成を示す側面図である。
【図４】図３に示したガス絶縁開閉装置の要部を拡大して示す側面図である。
【符号の説明】
１  密閉容器
１ａ  主体部
１ｄ〜１ｆ  口出し部
２〜４  機構ケース
５〜７  外部操作器
８  機構部収納体
９  インターロック機構
１２  遮断器
２２  遮断器側接地開閉器
２３  断路器
２４  回線側接地開閉器
【図１】
2005033846.tif 000003
【図２】
2005033846.tif 000004
【図３】
2005033846.tif 000005
【図４】
2005033846.tif 000006